(57)【要約】【課題】壁等に設置されている空気調和機等の送風機にイオン発生器を追加するための大規模な改造や面倒な追加工を必要とせず、該送風機が発生する風を有効に利用してイオンを居住空間内に効率よく拡散することができるイオン発生装置を提供する。【解決手段】外部からの空気の流入口４及び外部への空気の流出口５１を備えたケーシング３内に通風路とイオン発生器とを設けたイオン発生装置１が、ケーシング３を取付対象物に取り付ける取付手段を備え、ケーシング３の取付対象物に対する角度の調整が可能である。取付手段はスペーサ１Ｂを備え、スペーサ１Ｂは一面が開口した箱状体をなし、開口の周縁部１２及び底部１１が側面視で鋭角をなす。箱状体の開口の周縁部１２にケーシング３に取り付けるための結合部１２ａを有し、箱状体の底部１１に取付対象物へネジ止めするための取付孔１１ａ，１１ｂを有している。【選択図】図１
2012160307.tif 000002
【特許請求の範囲】
【請求項１】
外部からの空気の流入が可能な流入口及び外部への空気の流出が可能な流出口を備えたケーシング内に、前記流入口と流出口とを結ぶ通風路と、該通風路へイオンを放出するイオン発生器とを設けたイオン発生装置において、
前記ケーシングを前記取付対象物に取り付ける取付手段を設け、該取付手段は前記ケーシングの取付対象物に対する角度の調整が可能であることを特徴とするイオン発生装置。
【請求項２】
前記取付手段は、鋭角をなす２つの取付部を有し、前記ケーシングと取付対象物との間に位置するスペーサを備え、前記２つの取付部の一方が前記ケーシングに着脱自在であり、他方が前記取付対象物へ取り付け可能であることを特徴とする請求項１に記載のイオン発生装置。
【請求項３】
前記取付手段は前記スペーサを複数備え、一のスペーサの２つの取付部の一方が他のスペーサの２つの取付部の一方と接合し、該一のスペーサ及び他のスペーサの他方の取付部同士が鋭角をなすように各スペーサを連結してあることを特徴とする請求項２に記載のイオン発生装置。
【請求項４】
前記取付手段は前記スペーサを複数備え、一のスペーサの２つの取付部の一方が他のスペーサの２つの取付部の一方と接合し、該一のスペーサ及び他のスペーサの他方の取付部同士が平行となるように各スペーサを連結してあることを特徴とする請求項２に記載のイオン発生装置。
【請求項５】
前記スペーサは一面が開口した箱状体をなし、該箱状体の開口の周縁部に前記ケーシングに取り付けるための結合部を有し、前記箱状体の開口と対向する部分に前記取付対象物へネジ止めするための取付孔を有していることを特徴とする請求項２に記載のイオン発生装置。
【請求項６】
前記箱状体の開口と対向する部分に、他のスペーサの前記結合部と結合するための第２結合部を設けてあることを特徴とする請求項５に記載のイオン発生装置。
【請求項７】
前記箱状体の開口と対向する部分に前記ケーシングに取り付けるための第３結合部を有し、前記開口の周縁部に他のスペーサの前記結合部と結合するための第４結合部を有していることを特徴とする請求項６に記載のイオン発生装置。
【請求項８】
前記取付手段は、前記取付対象物に固定される対象物側固定部と、前記ケーシングに固定されるケーシング側固定部とを有し、該対象物側固定部及びケーシング側固定部は両者がなす角度及び距離を調整可能に結合してあることを特徴とする請求項１に記載のイオン発生装置。
【請求項９】
前記対象物側固定部及びケーシング側固定部の一方が、軸方向に列状に並ぶ複数の孔と、該孔の列から周方向に離隔し、軸方向に列状に並び、周方向に長い複数の長孔とを有する筒状体であり、該筒状体の軸方向端部が前記取付対象物又はケーシングに固定され、他方が該筒状体の内部に位置し、前記孔と長孔とに共に嵌合可能で外向きに付勢された少なくとも２個の突起を有する部材であることを特徴とする請求項８に記載のイオン発生装置。
【請求項１０】
前記イオン発生器により放出されたイオン濃度を検出するイオン検出器と、該イオン検出器が検出したイオン濃度を表示するイオン表示器とを備えていることを特徴とする請求項１から９の何れか１項に記載のイオン発生装置。
【請求項１１】
前記通風路に前記流入口から流入した空気を前記流出口へ案内する案内部を備え、該案内部に前記イオン検出器を設けてあることを特徴とする請求項１０に記載のイオン発生装置。
【請求項１２】
前記ケーシングは傾斜した導風面を外面に有し、該導風面に前記流入口を設けてあることを特徴とする請求項１から１１の何れか１項に記載のイオン発生装置。
【発明の詳細な説明】
【技術分野】
【０００１】
本発明は、壁等に設置された送風機の吹出口に隣り合うように設置されるイオン発生装置に関する。
【背景技術】
【０００２】
近年、イオンによって居住空間内の空気を清浄化する空気清浄機が実用化されている。空気清浄機では、送風機が外部から吸い込んだ空気が流れる内部の送風路内にプラスイオン及びマイナスイオンを発生させるイオン発生器が配設され、発生したイオンを吹き出される空気と共に外部へ放出させている。放出されたイオンは、室内等の居住空間において空気中の浮遊粒子を不活性化させ、浮遊細菌（カビ菌等）を死滅させると共に臭気成分を変性させる。その結果、居住空間内の空気が清浄化される。
【０００３】
特許文献１には、室内機内にプラズマ発生器（イオン発生器）を備えた天井埋込型空気調和機が開示されている。プラズマ発生器からは、イオン、オゾン、ヒドロキシラジカルなどが生成され、臭気成分、菌、ウイルスを分解し、無害化する。
【０００４】
特許文献２、３には、多数の空気通過孔を有し、内部に負イオン発生用の針電極を収容した網籠、ケース等を備えたイオン発生器を粘着又はネジ止め等により空気吹出し口に取り付けた空調機器の送風機が開示されている。
【先行技術文献】
【特許文献】
【０００５】
【特許文献１】特開２００６−２９６６５号公報
【特許文献２】特開平９−２４５９３４号公報
【特許文献３】実開昭６１−８６０号公報
【発明の概要】
【発明が解決しようとする課題】
【０００６】
特許文献１に示される従来の空気清浄機能を有する天井埋込型空気調和機では、予めイオン発生器を内蔵している。イオン発生器を内蔵していない天井埋込型空気調和機にイオン発生器を設ける場合には、既に設置されている天井埋込型空気調和機の大規模な改造が必要となる。
【０００７】
特許文献２、３では、イオン発生器を空調機器等の送風機の空気吹出し口に取り付ける際に、空気吹出し口の形状及び構造等に合わせて送風機側の面倒な追加工が必要になる。
【０００８】
本発明は、上述した事情に鑑みてなされたものであり、壁等に設置されている空気調和機等の送風機にイオン発生器を追加するための大規模な改造や面倒な追加工を必要とせず、該送風機が発生する風を有効に利用してイオンを居住空間内に効率よく拡散することができるイオン発生装置を提供することを目的とする。
【課題を解決するための手段】
【０００９】
本発明に係るイオン発生装置は、外部からの空気の流入が可能な流入口及び外部への空気の流出が可能な流出口を備えたケーシング内に、前記流入口と流出口とを結ぶ通風路と、該通風路へイオンを放出するイオン発生器とを設けたイオン発生装置において、前記ケーシングを前記取付対象物に取り付ける取付手段を設け、該取付手段は前記ケーシングの取付対象物に対する角度の調整が可能であることを特徴とする。
【００１０】
本発明においては、外部から送風された空気が流入口からケーシング内に流入するイオン発生装置において、流入口及び流出口を備えたケーシングの取付対象物に対する角度を調整してケーシングが取付対象物に取り付けられる。その結果、外部から送風された空気がケーシング内に効率よく流入し、ケーシング内の通風路でイオン発生器が放出したイオンが付加され、イオンを含む多量の空気が流出口から外部へ流出する。
【００１１】
本発明に係るイオン発生装置は、前記取付手段は、鋭角をなす２つの取付部を有し、前記ケーシングと取付対象物との間に位置するスペーサを備え、前記２つの取付部の一方が前記ケーシングに着脱自在であり、他方が前記取付対象物へ取り付け可能であることを特徴とする。
本発明においては、ケーシングと取付対象物との間に位置するスペーサが備える２つの取付部の一方をケーシングに装着し、他方を取付対象物へ取り付けると、ケーシングの取付対象物に対する角度が２つの取付部がなす鋭角に調整されて、ケーシングが取付対象物に取り付けられる。
【００１２】
本発明に係るイオン発生装置は、前記取付手段は前記スペーサを複数備え、一のスペーサの２つの取付部の一方が他のスペーサの２つの取付部の一方と接合し、該一のスペーサ及び他のスペーサの他方の取付部同士が鋭角をなすように各スペーサを連結してあることを特徴とする。
本発明においては、一のスペーサの２つの取付部の一方を他のスペーサの２つの取付部の一方と接合し、両スペーサの他方の取付部同士が鋭角をなすように各スペーサを連結させ、連結方向の一方端に位置するスペーサの他方の取付部をケーシングに装着し、他方端に位置するスペーサの他方の取付部を取付対象物へ取り付ける。これにより、ケーシングの取付対象物に対する角度がスペーサの２つの取付部がなす角度の倍数で調整される。
【００１３】
本発明に係るイオン発生装置は、前記取付手段は前記スペーサを複数備え、一のスペーサの２つの取付部の一方が他のスペーサの２つの取付部の一方と接合し、該一のスペーサ及び他のスペーサの他方の取付部同士が平行となるように各スペーサを連結してあることを特徴とする。
本発明においては、一のスペーサの２つの取付部の一方を他のスペーサの２つの取付部の一方と接合し、両スペーサの他方の取付部同士が平行となるように各スペーサを連結させ、連結方向の一方端に位置するスペーサの他方の取付部をケーシングに装着し、他方端に位置するスペーサの他方の取付部を取付対象物へ取り付ける。これにより、ケーシングの取付対象物に対する距離がスペーサの２つの取付部間の距離の倍数で調整される。
【００１４】
本発明に係るイオン発生装置は、前記スペーサは一面が開口した箱状体をなし、該箱状体の開口の周縁部に前記ケーシングに取り付けるための結合部を有し、前記箱状体の開口と対向する部分に前記取付対象物へネジ止めするための取付孔を有していることを特徴とする。
本発明においては、一面が開口した箱状体をなすスペーサの開口の周縁部と開口に対向する部分とが２つの取付部を構成し、互いに鋭角をなす。スペーサを箱状体の開口の周縁部に有する結合部によってケーシングに取り付け、箱状体の開口と対向する部分に有する取付孔によって取付対象物へネジ止めし、ケーシングの取付対象物に対する角度が箱状体の開口の周縁部と開口と対向する部分とがなす角度に調整される。
【００１５】
本発明に係るイオン発生装置は、前記箱状体の開口と対向する部分に、他のスペーサの前記結合部と結合するための第２結合部を設けてあることを特徴とする。
本発明においては、箱状体の開口の周縁部の結合部によってケーシングに取り付けたスペーサが箱状体の開口と対向する部分に有する第２結合部を、前記取付孔によって取付対象物へネジ止めされた他のスペーサの結合部に結合させると、ケーシングの取付対象物に対する傾斜角度が両スペーサの開口の周縁部と開口に対向する部分とがなす角度の倍数で調整される。
【００１６】
本発明に係るイオン発生装置は、前記箱状体の開口と対向する部分に前記ケーシングに取り付けるための第３結合部を有し、前記開口の周縁部に他のスペーサの前記結合部と結合するための第４結合部を有していることを特徴とする。
本発明においては、箱状体の開口と対向する部分の第２結合部によってケーシングに取り付けたスペーサが箱状体の開口の周縁部に有する第３結合部を、前記取付孔によって取付対象物へネジ止めされた他のスペーサの結合部と結合させると、ケーシングが取付対象物から両スペーサの厚さに相当する距離離間し、互いに平行となる状態に調整される。
【００１７】
本発明に係るイオン発生装置は、前記取付手段は、前記取付対象物に固定される対象物側固定部と、前記ケーシングに固定されるケーシング側固定部とを有し、該対象物側固定部及びケーシング側固定部は両者がなす角度及び距離を調整可能に結合してあることを特徴とする。
本発明においては、取付対象物に固定される対象物側固定部とケーシングに固定されるケーシング側固定部とがなす角度及び距離を調整して両固定部を結合することにより、ケーシングの取付対象物に対する角度及び距離が調整される。
【００１８】
本発明に係るイオン発生装置は、前記対象物側固定部及びケーシング側固定部の一方が、軸方向に列状に並ぶ複数の孔と、該孔の列から周方向に離隔し、軸方向に列状に並び、周方向に長い複数の長孔とを有する筒状体であり、該筒状体の軸方向端部が前記取付対象物又はケーシングに固定され、他方が該筒状体の内部に位置し、前記孔と長孔とに共に嵌合可能で外向きに付勢された少なくとも２個の突起を有する部材であることを特徴とする。
【００１９】
本発明においては、対象物側固定部及びケーシング側固定部の一方となる筒状体が有する各列の複数の孔及び長孔のうちの１つの孔と１つの長孔とに、筒状体の内部に位置し対象物側固定部及びケーシング側固定部の他方となる部材が有する各突起を外向きの付勢力によって共に嵌合させると、ケーシングの取付対象物に対する角度及び距離が固定される。付勢力に抗して突起を内側に押し込んで孔及び長孔との嵌合を解除した状態で移動し、他の孔及び長孔に嵌合させることにより、ケーシングの取付対象物に対する角度及び距離を変更することができる。
【００２０】
本発明に係るイオン発生装置は、前記イオン発生器により放出されたイオン濃度を検出するイオン検出器と、該イオン検出器が検出したイオン濃度を表示するイオン表示器とを備えていることを特徴とする。
本発明においては、ケーシング内のイオン発生器により放出されたイオン濃度がイオン検出器で検出され、イオン表示器に表示されるので、このイオン濃度の表示により、外部から送風された空気がケーシング内に流入し、ケーシング内でイオンが付加される状況が確認できる。
【００２１】
本発明に係るイオン発生装置は、前記通風路に前記流入口から流入した空気を前記流出口へ案内する案内部を備え、該案内部に前記イオン検出器を設けてあることを特徴とする。
本発明においては、流入口から流入した空気を流出口へ案内する案内部に設けたイオン検出器によって、流入口から流入し流出口から流出する空気中のイオン濃度が表示されるので、ケーシング内でイオンが付加され、流出口から流出する空気に効率良くイオンが付加されているか否かが判断できる。
【００２２】
本発明に係るイオン発生装置は、前記ケーシングは傾斜した導風面を外面に有し、該導風面に前記流入口を設けてあることを特徴とする。
本発明においては、ケーシングの取付対象物に対する角度を調整して、外部から送風された空気がケーシングの外面の傾斜した導風面に当たる角度を変更し、導風面に設けた流入口からケーシング内に効率よく空気を流入させることができる。
【発明の効果】
【００２３】
本発明によれば、空気の流入口及び流出口を備えたケーシングの取付対象物に対する角度を調整して、外部から送風された空気を流入口からケーシング内に効率よく流入させ、通風路で付加されたイオンを含む多量の空気を流出口から外部へ流出させることができるので、壁等に設置されている空気調和機等の送風機にイオン発生器を追加するための大規模な改造や面倒な追加工を必要とせず、該送風機が発生する風を有効に利用してイオンを居住空間内に効率よく拡散することができるイオン発生装置が提供される。
【００２４】
また、本発明によれば、空気の流入口及び流出口を備えたケーシングの取付対象物に対する距離を調整して、外部から送風された空気を流入口からケーシング内に効率よく流入させ、通風路で付加されたイオンを含む多量の空気を流出口から外部へ流出することもできる。
【図面の簡単な説明】
【００２５】
【図１】本発明の実施の形態１に係るイオン発生装置の構成を示す斜視図である。
【図２】図１に示すイオン発生装置の本体の下面図である。
【図３】図１に示すイオン発生装置の本体のカバー部を取り外した状態の下面図である。
【図４】図１に示すイオン発生装置の本体の側面図である。
【図５】図１のイオン発生装置の本体のカバー部を開いた状態を示す側面図である。
【図６】図２のＶＩ−ＶＩ線における側面断面図である。
【図７】図２のＶＩＩ−ＶＩＩ線における側面断面図である。
【図８】図１に示すイオン発生装置のスペーサの下面図である。
【図９】図８に示すスペーサの側面図である。
【図１０】図８のＸ−Ｘ線における側面断面図である。
【図１１】図１のイオン発生装置の設置状態を示す天井部分の平面図である。
【図１２】図１のイオン発生装置の設置構造及び動作を示す天井部分の側面断面図である。
【図１３】本発明の実施の形態１に係るイオン発生装置の取付手段の変形構成を示す斜視図である。
【図１４】図１３の取付手段を用いたイオン発生装置の設置構造及び動作を示す天井部分の側面断面図である。
【図１５】本発明の実施の形態１に係るイオン発生装置の取付手段の他の変形構成を示す斜視図である。
【図１６】図１５の取付手段を用いたイオン発生装置の設置構造及び動作を示す天井部分の側面断面図である。
【図１７】本発明の実施の形態２に係るイオン発生装置の構成を示す側面図である。
【図１８】図１７に示すイオン発生装置の天井側固定部材の下面図である。
【図１９】図１８のＡ−Ａ線における断面図である。
【図２０】図１７に示すイオン発生装置の本体側固定部材の上面図である。
【図２１】図２０のＢ−Ｂ線における断面図である。
【図２２】図１７に示すイオン発生装置の設置過程を示す断面図である。
【図２３】図１７に示すイオン発生装置の設置状態を示す断面図である。
【図２４】図１７に示すイオン発生装置の設置形態を例示する側面図である。
【図２５】図１７に示すイオン発生装置の設置形態を例示する側面図である。
【図２６】図１７に示すイオン発生装置の設置形態を例示する側面図である。
【図２７】図１７に示すイオン発生装置の設置形態を例示する側面図である。
【発明を実施するための形態】
【００２６】
以下、本発明に係るイオン発生装置の実施の形態について図面に基づいて説明する。
（実施の形態１）
図１は本発明の実施の形態１に係るイオン発生装置の構成を示す斜視図、図２は図１に示すイオン発生装置の本体の下面図、図３は図１に示すイオン発生装置の本体のカバー部を取り外した状態の下面図、図４は図１に示すイオン発生装置の側面図、図５は図１のイオン発生装置の本体のカバー部を開いた状態を示す側面図、図６は図２のＶＩ−ＶＩ線における側面断面図、図７は図２のＶＩＩ−ＶＩＩ線における側面断面図である。図８は図１に示すイオン発生装置のスペーサの下面図、図９は図８に示すスペーサの側面図、図１０は図８のＸ−Ｘ線における側面断面図である。尚、図６及び図７は図１のイオン発生装置の本体の構造及び動作を示す。
【００２７】
本実施形態に係るイオン発生装置１は、本体１Ａと、本体１Ａに着脱されるスペーサ１Ｂとを有する。本体１Ａは、略直方体形状で一方向に長い形状のベース部３１と、ベース部３１を一部覆うカバー部３２とを有するケーシング３を備えている。尚、本発明のイオン発生装置１は、後述のように、ベース部３１の一面３１ａにスペーサ１Ｂを装着し、カバー部３２が下側になる状態でスペーサ１Ｂを天井等の取付対象物に取り付けるので、以下、ベース部３１の一面３１ａが上面となり、カバー部３２が下に位置した状態を基準に説明する。
【００２８】
ベース部３１の下面には略直方体形状の２個のイオン発生器２を夫々固定するための固定部材３３が長手方向に離間した２箇所に設けてある。それぞれの固定部材３３は、変形しない鉤状の第１の係止部３３１と、先端に鉤部を有する変形可能な第２の係止部３３２とを備えている。イオン発生器２は第１の係止部３３１と第２の係止部３３２とにより側面及び下側縁部が係止されている。
【００２９】
イオン発生器２は、４つのイオン発生部２１，２２を備えている。各イオン発生部２１，２２は針状を成す放電電極２１ａ，２２ａと、放電電極２１ａ，２２ａを囲繞する誘導電極環２１ｂ，２２ｂとを有し、放電電極２１ａ，２２ａはそれぞれ誘導電極環２１ｂ，２２ｂの中心部に配される。イオン発生部２１，２２に電圧を供給する給電部（不図示）が設けられ、給電部から各イオン発生部２１，２２に電圧を供給することによってイオン発生部２１，２２がイオンを発生する。
【００３０】
以下に説明するように、一方のイオン発生部２１がプラスイオンを発生し、他方のイオン発生部２２がマイナスイオンを発生するように構成されている。
一方のイオン発生部２１には放電電極２１ａが正となる電圧が印加され、放電によるプラズマ領域で空気中の水分子が電気的に分解して主として水素イオンＨ+ が生成される。そして、生成された水素イオンＨ+ の周りに空気中の水分子が凝集し、正のクラスターイオンＨ+（Ｈ2 Ｏ）ｍ（ｍは任意の整数）（以下、「プラスイオン」とする）が形成される。他方のイオン発生部２２には放電電極２２ａが負となる電圧が印加され、放電によるプラズマ領域で空気中の酸素分子が電気的に分解して主として酸素イオンＯ2-が生成される。そして、生成された酸素イオンＯ2-の周りに空気中の水分子が凝集し、負のクラスターイオンＯ2-（Ｈ2 Ｏ）ｎ（ｎは任意の整数）（以下、「マイナスイオン」とする）が形成される。
【００３１】
本実施形態では、プラスイオンを発生させるイオン発生部２１及びマイナスイオンを発生させるイオン発生部２２を備えたイオン発生器２を用いたが、他に、マイナスイオンのみを発生させるイオン発生器や、その他のイオンを発生させるイオン発生器を用いてもよい。また、イオン発生器２のイオン発生部２１，２２から発生するイオンの極性を所定時間毎に切り換えてもよい。
【００３２】
カバー部３２は、側面視で略逆三角形の形状を有し、ベース部３１の長手方向に沿って伸びた形状を有している。カバー部３２は、該逆三角形の２辺に対応する第１の傾斜面である導風面３４及び第２の傾斜面３５と、導風面３４及び第２の傾斜面３５の両端部に位置する側面３６とを形成する板材で構成されている。
【００３３】
導風面３４には、スリット状の開口部Ｓがカバー部３２の長手方向に複数個形成（並設）されている。スリット状の開口部Ｓは並設方向での幅が並設方向で隣り合う端部間の離隔距離よりも広い。スリット状の開口部Ｓの一方側（ベース部３１の上面３１ａとの距離が短い側）が流入口４となり、スリット状の開口部Ｓの他方側（ベース部３１の上面３１ａとの距離が長い側）が第１の流出口５１となる。即ち、流入口４と第１の流出口５１とが一つの連なったスリット状の開口部Ｓを形成している。
【００３４】
また、第２の傾斜面３５にはスリット状の第２の流出口５２が備えられる。尚、第２の流出口５２の形状はスリット状に限らず、例えば１つ又は複数の矩形状の開口部等の形状をしていてもよい。
【００３５】
ベース部３１の下面とカバー部３２の内壁面とにより、流入口４と第１の流出口５１及び第２の流出口５２とを結ぶ通風路７が形成される。第１の傾斜面３４と第２の傾斜面３５とが繋がる逆三角形の頂点部には、カバー部３２の内側から通風路７内へ略鉛直上方に伸び、流入口４から流入した空気流を第１の流出口５１に導く遮風板６が備えられる。遮風板６はカバー部３２の長手方向に沿って伸びた形状を有している。なお、遮風板６は鉛直上方に伸びるものに限るものではなく、第１の流出口５１に風を導く形であれば他の形をしていてもよい。
【００３６】
遮風板６の流入口４側の面にイオン検出器８を設けている。また、図示はしないが、イオン検出器８の検出信号に基づき、イオン検出器８が検出したイオン濃度を表示するイオン表示器がベース部３１又はカバー部３２の外面に設けてある。
【００３７】
カバー部３２の両側面３６の上部には、孔が開いた耳部３６ａが延設されている。一方、ベース部３１の長手方向両端には支点軸３１１が備えられている。カバー部３２の耳部３６ａの孔はベース部３１の支点軸３１１に嵌り、カバー部３２は支点軸３１１を中心として、ベース部３１に対して回動することができる。図５にカバー部３２が下側に９０°開いた状態のイオン発生装置１の側面図を示す。
【００３８】
ベース部３１の支点軸３１１とは反対側の端部にはマグネット３１２が備えられており、カバー部３２にはベース部３１のマグネット３１２に対応した位置にマグネット３２１が備えられている。カバー部３２が閉まった状態のときは、カバー部３２のマグネット３２１と、ベース部３１のマグネット３１２とが引き合うことで、カバー部３２が閉まった状態を維持できる。このようにカバー部３２を回動可能とすることで、イオン発生器２を容易に交換及び清掃することができる。
【００３９】
なお、マグネットはイオン発生装置１の本体１Ａの長手方向において、イオン発生器２のイオン発生部２１、２２と重ならない位置に備えられている。なるべく、イオンがマグネットに吸収され、イオン濃度が低下するのを防止するためである。
【００４０】
ベース部３１の長手方向両端側面には、スペーサ１Ｂを取り付けるための凹部３１ｂが形成され、凹部３１ｂの中央に長手方向を軸心とするネジ孔３１ｃが設けてある。
【００４１】
スペーサ１Ｂは、一面が開口した箱状体をなす。箱の底部１１が本体１Ａのベース部３１の長手方向の長さ及び幅に略等しい寸法を有している。スペーサ１Ｂは側面視で台形形状をし、開口の周縁部１２は底部１１に対して鋭角（本実施の形態では１５度）をなして傾斜している。底部１１を第１の取付部とし、開口の周縁部１２を第２の取付部とする。
【００４２】
底部１１には、スペーサ１Ｂを天井に取り付けるためのボルトを通す３つの取付孔１１ａ，１１ｂが設けてある。具体的には、１つの丸孔１１ａを長手方向の中央の幅方向における一端側に設け、長手方向に長い長孔１１ｂを長手方向の両端夫々の幅方向における他端側に設けている。
【００４３】
周縁部１２には、開口の外側へ突出する突起部１２ａを設けている。突起部１２ａは取付用のネジを通す取付孔１２ａ１を有している。スペーサ１Ｂを本体１Ａに装着する場合は突起部１２ａをベース部３１の凹部３１ｂに嵌め、取付孔１２ａ１を通したネジをネジ孔３１ｃにネジ込んでスペーサ１Ｂが本体１Ａに固定されている。
【００４４】
次に、本実施の形態１に係るイオン発生装置１の設置について説明する。図１１は図１のイオン発生装置の設置状態を示す天井部分の平面図、図１２は図１のイオン発生装置の設置構造及び動作を示す天井部分の側面断面図である。
【００４５】
本実施形態に係るイオン発生装置１は天井埋込型空気調和機９の吹出口９１近傍の天井１０に設置されている。天井埋込型空気調和機９は空気を４方向に吹き出す４個の吹出口９１を備えている。イオン発生装置１は、天井埋込型空気調和機９の吹出口９１に近い側に導風面３４が位置するようにそれぞれの吹出口９１に対して設置してある。尚、天井１０には既に照明等が設置されていることもあり、必ずしも全ての吹出口９１に対してイオン発生装置１を設置できるわけではないため、一部の吹出口９１に対してのみ取り付けてもよい。
【００４６】
スペーサ１Ｂは、天井埋込型空気調和機９の吹出口９１の天井１０に対する高さ（吹き出し位置）や、吹き出し方向に合わせて、イオン発生装置１の本体１Ａの天井１０に対する高さと傾斜角度とを調整し、導風面３４に良好に吹き出し風を当てて流入口４への空気流入量を多くし、イオンを効率よく拡散させるようにするためのものである。
【００４７】
イオン発生装置１は天井埋込型空気調和機９が設置された天井１０の近傍に、スペーサ１Ｂの底部１１を天井１０の壁に対向させた状態で取り付けて固定される。従って、本体１Ａの上面３１ａは天井１０に対して約１５度傾斜している。固定には固定ボルト８１が使用される。固定ボルト８１は、スペーサ１Ｂの底部１１側から底部１１の各取付孔１１ａ，１１ｂと、天井１０に開けた孔とを貫通し、天井の裏面側からナット８２で固定されている。
【００４８】
天井埋込型空気調和機９は、吸込口９５と、送風機９４と、熱交換器９３と、吹出口９１とを備える。天井埋込型空気調和機９の運転時は、送風機９４によって吸込口９５から室内の空気を吸い込み、熱交換機９３を通して、吹出口９１から調和空気を吹き出す。吹出口９１には風向変更板９２が設置されている。
【００４９】
天井埋込型空気調和機９によって調和空気は、イオン発生装置１の本体１Ａの傾斜した導風面３４に向かって吹き出される。吹き出される調和空気は、矢印に示す通り、導風面３４に沿って流れる。また、導風面３４の流入口４がある部分では図６の矢印に示す通り、流入口４からイオン発生装置１の内部の通風路７に調和空気が流入する。
【００５０】
ここで、イオン発生器２によって発生させられたイオンはイオン風により、イオン発生器２のイオン発生部２１，２２から下向きに放出される。流入口４から流入した調和空気は、通風路７を流れるときにイオン発生器２が発生させたイオンが付加されて、第１の吹出口５１及び第２の吹出口５２からイオン発生装置１の外部へと放出される。
【００５１】
イオンを含んだ調和空気の一部は、遮風板６に当たり、第１の流出口５１へと導かれ、第１の流出口５１から流出する。第１の流出口５１から流出したイオンを含んだ調和空気は、導風面３４に沿って流れる調和空気と合流し、室内に吹き出される。また、イオンを含んだ調和空気の残りは、第２の流出口５２から流出する。第１の流出口５１から流出したイオンを含んだ調和空気及び第２の流出口５２から流出したイオンを含んだ調和空気により、イオンを効率よく室内に拡散することができる。
【００５２】
このように、傾斜した導風面３４に流入口４を設けることによって、導風面３４に沿うように天井埋込型空気調和機９の吹出口９１から吹き出された調和空気が、傾斜した導風面３４に沿って流れる空気と、イオン発生装置１の流入口４からイオン発生装置１内に入る空気とに分けることができる。そして、天井埋込型空気調和機９の吹出口９１から吹き出された調和空気の流れ方向で流入口４よりも下流側位置の導風面３４に、第１の流出口５１を設けることによって、イオン発生装置１の内部に流入し、イオンが付加された空気の一部は、第１の流出口５１から流出し、再び導風面３４に沿って流れる空気と合流することができる。
【００５３】
本実施形態１では、流入口４と第１の流出口５１とが連なったスリット状の開口部Ｓを形成しているので、導風面３４に沿って流れる調和空気の流量、流速、方向等に対応して、流入口４となる開口部Ｓの部分と第１の流出口５１となる開口部Ｓの部分との割合を変化させることができる。流入口４となる開口部Ｓの部分割合が大きくなると、イオン発生装置１内に入る空気の量が増加するため、イオン発生装置１内でイオンが付加され、第１の流出口５１及び第２の流出口５２から外部により多くのイオンを含む空気を流出させることができる。
【００５４】
本実施形態１では、遮風板６を設けることで、第１の流出口５１から吹き出されるイオンを含んだ空気を、導風面３４に沿って流れる空気に合流させ、室内に拡散することで、導風板６を設置しないイオン発生装置と比べて効率よく室内にイオンを拡散することができる。また第１の流出口５１から流出する調和空気の量と、第２の流出口５２から流出する調和空気の量の割合は、遮風板６の長さを調整することで変更することができる。遮風板６を長くすれば、第１の流出口５１から流出する調和空気の風量の割合が増え、遮風板６を短くすれば、第１の流出口５１から流出する調和空気の風量の割合が減る。
【００５５】
加えて、流入口４から流入して遮風板６に当たる空気量が多くなると、イオン検出器８で検出されるイオン濃度が大きくなるため、イオン検出器８の検出結果を表示するイオン表示器の表示情報により、天井埋込型空気調和機９の吹出口９１から吹き出された空気が流入口４に流入している状況を確認することができる。
【００５６】
次に、本実施の形態１に係るイオン発生装置１の変形構成について説明する。図１３は本発明の実施の形態１に係るイオン発生装置の取付手段の変形構成を示す斜視図、図１４は図１３の取付手段を用いたイオン発生装置の設置構造及び動作を示す天井部分の側面断面図、図１５は本発明の実施の形態１に係るイオン発生装置の取付手段の他の変形構成を示す斜視図、図１６は図１５の取付手段を用いたイオン発生装置の設置構造及び動作を示す天井部分の側面断面図である。
【００５７】
天井埋込型空気調和機９の吹出口９１の天井１０に対する高さ（吹き出し位置）や吹き出し方向により、１つのスペーサ１Ｂだけでは、イオン発生装置１の導風面３４に良好に吹き出し風が当たらない場合がある。そこで、複数のスペーサ１Ｂを連結するための構造が設けてある。
【００５８】
具体的には、スペーサ１Ｂの底部１１の両端部に、周縁部１２の突起部１２ａと結合可能な凹部１１ｃが設けてある。凹部１１ｃは底部１１の外面と交差する方向及びスペーサ１Ｂの長手方向の外向きに開放され、横側部にネジ穴１１ｃ１が形成されている。図１３及び図１４に示すように、１つのスペーサ１Ｂの底部１１を他のスペーサ１Ｂの周縁部１２に重ねた状態で１つのスペーサ１Ｂ側の凹部１１ｃに他のスペーサ１Ｂ側の突起部１２ａを差し込み、突起部１２ａの取付孔１２ａ１を通したネジを凹部１１ｃのネジ穴１１ｃ１にネジ込むことにより、両スペーサ１Ｂが連結される。これにより、イオン発生装置１の導風面３４の高さが少し下側になるとともに、導風面３４の傾斜角度が図１２の場合の２倍（約３０度）になる。
【００５９】
更に、スペーサ１Ｂの周縁部１２に、突起部１２ａと離隔させて凹部１２ｂが設けてある。凹部１２ｂは周縁部１２及びスペーサ１Ｂの長手方向の外向きに開放され、奥側にネジ穴１２ｂ１が形成されている。図１５及び図１６に示すように、１つのスペーサ１Ｂと他のスペーサ１Ｂの周縁部１２同士を対向させて重ねた状態で１つのスペーサ１Ｂ側の凹部１２ｂに他のスペーサ１Ｂ側の突起部１２ａを差し込み、突起部１２ａの取付孔１２ａ１を通したネジを凹部１２ｂのネジ穴１２ｂ１にネジ込むことにより、両スペーサ１Ｂが連結される。そして、一方のスペーサ１Ｂの凹部１１ｃとベース部３１の凹部３１ｂとを止め金具１４にて架橋してネジ止めし、スペーサ１Ｂを本体１Ａに固定する。これにより、イオン発生装置１の導風面３４の傾斜角度を図１２の場合の同じ角度に維持しつつ、導風面３４の高さが下側に変更される。
【００６０】
尚、取付手段は３つ以上のスペーサ１Ｂを連結させたものでもよい。また、各スペーサ１Ｂの傾斜角度は１５度に限らず、適宜設定できる。
【００６１】
（実施の形態２）
図１７は本発明の実施の形態２に係るイオン発生装置の構成を示す側面図、図１８は図１７に示すイオン発生装置の天井側固定部材の下面図、図１９は図１８のＡ−Ａ線における断面図、図２０は図１７に示すイオン発生装置の本体側固定部材の上面図、図２１は図２０のＢ−Ｂ線における断面図、図２２は図１７に示すイオン発生装置の設置過程を示す断面図、図２３は図１７に示すイオン発生装置の設置状態を示す断面図である。
【００６２】
実施の形態２では、本体１Ａの傾斜角度及び高さを調整するために、スペーサ１Ｂに代えて、天井１０に固定される天井側固定部材２２と本体１Ａに固定される本体側固定部材２３とを設けている点が実施の形態１と異なる。
【００６３】
天井側固定部材２２は下面が開放された略直方体形状の有底角筒体をなしている。天井側固定部材２２の底部には、実施の形態１のスペーサ１Ｂと同様に、１個の丸孔の取付孔（図示は略す）及び２個の長孔の取付孔２２ｃが設けてある。これらの取付孔２２ｃを用いて天井側固定部材２２は天井１０に取り付けられる。天井側固定部材２２の長手方向の両側面部には、周方向に離隔した２列の孔２２ａ，２２ｂが設けられ、一方の列の孔２２ａは丸孔であり、他方の列の孔２２ｂは周方向に長い長孔である。各列の孔２２ａ，２２ｂは筒の軸方向に等間隔に３個設けてあり、各丸孔２２ａと各長孔２２ｂとの周方向での位置は同位置である。
【００６４】
本体側固定部材２３は略直方体形状の角筒体をなしている。本体側固定部材２３は天井側固定部材２２内に位置するので、本体側固定部材２３の寸法は天井側固定部材２２よりも一回り小さい。本体側固定部材２３の長手方向の両側面の縁部に、側面に沿って外向きに突出した突起部２３ａを設けている。突起部２３ａは取付用のネジを通す取付孔２３ａ１を有している。本体側固定部材２３を本体１Ａに装着する場合は各突起部２３ａをベース部３１の凹部３１ｂに嵌め、取付孔２３ａ１を通したネジをネジ孔３１ｃにネジ込んで本体側固定部材２３が本体１Ａに固定される。
【００６５】
本体側固定部材２３の長手方向の両端部には、突起部２３ａを設けた側とは反対の端部側に、周方向に離隔した２個の可動ピン２４が設けてある。２個の可動ピン２４の間隔は天井側固定部材２２の孔２２ａ及び孔２２ｂの周方向での中心間距離に略等しい。可動ピン２４を本体側固定部材２３の側壁２３ｂの内側との間で挟み込むＬ字状のピン保持部２５が本体側固定部材２３の側壁２３ｂに固定されている。可動ピン２４は天井側固定部材２２の各孔２２ａ，２２ｂに嵌まり込む円柱形状部２４ａと、フランジ部２４ｂと、フランジ部２４ｂから円柱形状部２４ａの反対方向に伸びるガイド部２４ｃとを有している。また、フランジ部２４ｂとピン保持部２５との間に、ガイド部２４ｃに挿通され、フランジ部２４ｂを加圧するスプリング２６が配置してある。
【００６６】
可動ピン２４を内側に押し込むと、可動ピン２４のフランジ部２４ｂがスプリング２６を圧縮し、可動ピン２４を天井側固定部材２２の孔２２ａ，２２ｂから抜くことができる。各可動ピン２４のうちの１個を天井側固定部材２２の孔２２ａ，２２ｂから抜くことにより、本体側固定部材２３は孔２２ａ，２２ｂから抜かれていない可動ピン２４を中心として回動可能となり、孔２２ａ，２２ｂから抜いた方の各可動ピン２４を別の孔２２ａ，２２ｂの位置まで移動させて嵌め込むことができる。このように、各可動ピン２４の嵌め込む孔２２ａ，２２ｂを選択し、本体側固定部材２３の天井側固定部材２２に対する相対角度及び相対位置を変更することができる。その結果、本体１Ａの天井１０からの距離、及び、天井１０に対する傾斜角度を変更することができる。図１７に示す構成では、天井１０からの距離が３段階に調整され、天井１０に対する傾斜角度が２段階に調整される。
【００６７】
図２４〜図２７は図１７に示すイオン発生装置１の設置形態を例示する側面図である。図２４は、本体１Ａの天井１０との距離が最も近く、天井１０に対して傾斜していない場合を示す。図２５は、天井１０との距離が最も近く、天井１０に対して１段傾斜した場合を示す。図２６は、天井１０との距離が３段階の中間であり、天井１０に対して１段傾斜した場合を示す。図２７は、天井１０との距離が最も遠く、天井１０に対して傾斜していない場合を示す。ここで、本体側固定部材２３を天井側固定部材２２に対して傾斜させた場合、各列の孔２２ａ，２２ｂに嵌まる可動ピン２４間の周方向での距離が変化するが、一方を長孔２２ｂとして距離の変化を吸収している。尚、図２５、図２６には、長孔２２ｂに嵌まる可動ピン２４の天井１０からの距離が孔２２ａに嵌まる可動ピン２４の天井１０からの距離より遠くなるように本体側固定部材２３を天井側固定部材２２に対して傾斜させた場合を示すが、逆に長孔２２ｂに嵌まる可動ピン２４の天井１０からの距離が孔２２ａに嵌まる可動ピン２４の天井１０からの距離より近くなるように傾斜させることもできる。
【００６８】
上記の実施の形態１−２では、本発明に係るイオン発生装置１を天井埋込型空気調和機９の吹出口９１近傍の天井１０に設置したが、天井埋込型空気調和機に限らず、壁面に設置された送風機に適用することができる。
【符号の説明】
【００６９】
１          イオン発生装置
１Ｂ        スペーサ（取付手段）
２          イオン発生器
３          ケーシング
３４        導風面
４          流入口
５１        第１の流出口
５２        第２の流出口
６          遮風板（案内部）
７          通風路
８          イオン検出器
１０        天井（取付対象物）
１１        底部（開口と対向する部分、取付部）
１１ａ      取付孔
１１ｂ      取付孔
１１ｃ      凹部（第２結合部、第３結合部）
１２        開口の周縁部（取付部）
１２ａ      突起部（結合部）
１２ｂ      凹部（第４結合部）
２２        天井側固定部材（対象物側固定部、取付手段）
２２ａ      孔
２２ｂ      長孔
２３        本体側固定部材（ケーシング側固定部、取付手段）
２４        可動ピン（突起）
３４        導風面
【図１】
2012160307.tif 000003
【図２】
2012160307.tif 000004
【図３】
2012160307.tif 000005
【図４】
2012160307.tif 000006
【図５】
2012160307.tif 000007
【図６】
2012160307.tif 000008
【図７】
2012160307.tif 000009
【図８】
2012160307.tif 000010
【図９】
2012160307.tif 000011
【図１０】
2012160307.tif 000012
【図１１】
2012160307.tif 000013
【図１２】
2012160307.tif 000014
【図１３】
2012160307.tif 000015
【図１４】
2012160307.tif 000016
【図１５】
2012160307.tif 000017
【図１６】
2012160307.tif 000018
【図１７】
2012160307.tif 000019
【図１８】
2012160307.tif 000020
【図１９】
2012160307.tif 000021
【図２０】
2012160307.tif 000022
【図２１】
2012160307.tif 000023
【図２２】
2012160307.tif 000024
【図２３】
2012160307.tif 000025
【図２４】
2012160307.tif 000026
【図２５】
2012160307.tif 000027
【図２６】
2012160307.tif 000028
【図２７】
2012160307.tif 000029